(57)【要約】【目的】水上のボート釣りに於いて、深度のある所で魚が集まり易く錨を必要としない養殖施設などへの係留は最適ではあるが、従来の方法よりも簡単で施設所有者に迷惑をかけない方法を用い、了承や容認を経て、快適な釣りをする。【構成】一本の腕木式係留具で、施設ロープとボートを素早く取り外しが出来る簡単な方法で、一定の間隔を持って繋ぎ、釣り糸と水中の養殖施設とのトラブルを防ぐ。【選択図】　　　　　　図１
2004042875.tif 000002
【特許請求の範囲】
【請求項１】
水上に浮かべた養殖施設等を構成する為に水面付近に張り巡らしたロープとゴムボート等を一定の間隔で繋ぎ、簡単に取り外しが出来るボート係留具。
【請求項２】
パイプ状のアーム（１ａ）両端にそれぞれアームに対して直角方向のロープ捕捉部（１ｂ）と、ボート捕捉部（１ｃ）を設けてアーム（１ａ）を横軸とするＨ字形としたものであり、アーム（１ａ）とＴ字形を成すロープ捕捉部（１ｂ）は逆Ｕ字形で、自重によりその懐で施設ロープを捕捉し、後にアーム（１ａ）とＴ字形を成すボート捕捉部（１ｃ）で、ボートと一体化したボート張付け部（４）に属するボートと平行の変形シャフト（４ａ）を捕捉した後に、変形シャフトの回転により蝶番機能を有したロックをして、施設ロープとゴムボートをアームの長さに応じた間隔を一箇所繋ぐだけで維持する請求項１記載のボート係留具。
【請求項３】
ゴムボート以外のプレジャーボートに転用する場合は、船腹前後の上部に二組の係留具を現状で使用するか、あるいは二組のボート張付け部を船縁ブルワーク上での仕様にする事で可能にする請求項１、２記載のボート係留具。
【発明の詳細な説明】
【０００１】
【産業上の利用分野】
本発明は、主に海上のゴムボート釣りに於いて、牡蛎や真珠等の養殖施設への係留に関する。
【０００２】
【従来の技術】
従来は、養殖施設の周囲に張り巡らした水面近くのロープに、ゴムボートを添わせ、前後を直接紐で固定するものである。
【０００３】
【発明が解決しようとする課題】
ゴムボートの係留に於いては施設所有者の了承や容認を前提とし、施設ロープが水没していたり、風や潮流に翻弄されたり、或いは単身の場合、ボートの前後を固定する為に移動しなければならず煩わしい。叉、養殖施設に隣接する為に針掛かりした魚が水中の施設に絡むことは、釣り人には不運であるが、なによりも施設の所有者に迷惑をかける事である。
【０００４】
【課題を解決するための手段】
ボートと養殖施設に一定の間隔を空ける金属製等の腕木式係留具の使用で釣り糸と水中の養殖施設とのトラブルを防ぐ。
【０００５】
ボートを一本の係留具で安定に繋ぐ為に、単身の釣りでもボート上を移動しなくてもよい。
【０００６】
ロープ捕捉部とボート捕捉部は、差し込み方法なので瞬時に行なえ、風や潮流に翻弄されず煩わしさが無い。
【０００７】
【作用】
金属丸棒の円形断面をほぼ楔形に削り取った回転式の変形シャフトの両端軸受けを持つ耐候性ゴムの板状部分を予めゴムボートに接着剤で張り、係留具のロープ捕捉部でアーム対し直角方向にロープを捕捉し、同じくボート捕捉部で直角方向に回転式の変形シャフトを捕捉する事でアームを横軸するＨ字形となり、一本の係留具で養殖施設から一定の距離を保つことで釣りに依る施設への影響を改善し、釣り人も施設への絡みが無くなり快適な釣りが出来る。
【０００８】
【実施例】
実施例について図面を参照に説明すると、図１は釣りをしている状態を示し、１は係留具本体、２はゴムボート、３は養殖施設、３ａは施設ロープ、３ｂは養殖篭、３ｃは施設ブイ、４は係留具のボート張付け部、５は釣り糸である。
【０００９】
図２は係留具１の取付け状態を示す平面図でパイプ状のアーム１ａの両端にロープ捕捉部１ｂと、ボート捕捉部１ｃを設け、ロープ捕捉部１ｂで施設ロープ３ａを捕らえ、ボート捕捉部１ｃで予めボートに張付け固定したボート張付け部４に属する変形シャフト４ａ部分を捕捉する。　取付け状態の係留具本体はアーム１ａを横軸とするＨ字形である為に施設ロープ３ａに対してアーム１ａは直角方向にあり、ボート張付け部の変形シャフト４ａと平行のボート側面はアーム１ａと直角である。　前記により一組の係留具でゴムボート２を施設ロープ３ａから平行で一定の間隔を保つ事ができる。
【００１０】
図３は係留具本体１の断面図でアーム１ａの両端にロープ捕捉部１ｂと、ボート捕捉部１ｃを設けたもので、ボート捕捉部１ｃはパイプの円弧の部分を切り取った形であり、図３の断面図では変形シャフト４ａを取り込んだ状態である。
【００１１】
図３を使ってこの係留具の使用方法を説明すると、まずゴムボートを施設に漕ぎ寄せ、アーム１ａのボート捕捉部１ｃに近い部分を片手で持ち、アーム１ａのロープ捕捉部１ｂに近い部分を施設ロープに乗せて手前に引くとロープ捕捉部１ｂの垂れ下がりの部分に当り、そこで力を抜く、もしくはは少し捏ねるとロープ捕捉部１ｂの自重でロープを取り込む。
【００１２】
次に、予めゴムボートに接着剤で張付けておいたボート張付け部４に属する変形シャフト４ａをボート捕捉１ｃで取り込み、図４のように変形シャフト４ａを図５に示すレバー４ｄを使い、回転させてボート捕捉部をロックする。
【００１３】
図５のレバー４ａの位置でＡ−Ａ面を上方から見たのが図６のボート張付け部４であり、その構成は９０度回転する変形シャフト４ａとその両軸を支える軸受けゴム４ｂ、軸受けゴムと連なりボートに張付ける為の張付けゴム４ｃ、変形シャフトを回転させる為のレバー４ｄとそれを固定するナット４ｅで成り、図７は図６のＢ−Ｂ断面である。　レバー４ｄが図８の位置の時、変形シャフト４ａはボート捕捉部１ｃに取り込まれた図３のようになり、図９のレバー４ｄの位置で図４のように変形シャフトはボート捕捉部をロックして外れないようにしている。
【００１４】
【発明の効果】
従来のように直接係留ではなく、係留具１の使用でゴムボート２と施設ロープ３ａに一定の間隔を設ける事で、吊下げられた養殖篭３ｂと釣り糸５の間隔を大きく出来、釣り糸が施設に絡みつくトラブルを防止する。
【００１５】
逆Ｕ字形のロープ捕捉部は数種のロープの大きさに対応する為の二段構造である。　捕捉部１ｂがロープを捕らえたときにロープの直径に対して捕捉部の内法が大きいと、ロープに対して直角方向であるべきアーム１ａがロープを支点にして振れが大きくなる。　その振れを縮小する方法として、太いロープは中途の幅の広い部分で機能させ、若干細めのロープは自動的に奥に入った幅の狭い天井部分で機能するのでロープの太さへの配慮は不要である。
【００１６】
近隣を、他の漁船などが通るとゴムボートが大きく横揺れや上下運動をする事になるが、ボート捕捉部１ｃは変形シャフト４ａにロックされてはいるがボートの横揺れや上下運動に対してフリー状態なので、先端の自重だけでロープを捕捉しているロープ捕捉部１ｂを持ち上げるような力は働かず、ロープ捕捉部が外れるような事はない。
【００１７】
この係留具は、ゴムボート以外で小型のプレジャーボートにも転用できる。　ゴムボートの様に一本の係留具ではなく、船腹の上部に前後二組の係留具を現状のまま使用する。　或いは二組のボート張付け部を船縁ブルワーク上での仕様にしてゴム製の部分を金属製とし、変形シャフトの位置を高くする事で、横揺れ及び上下運動でアーム（１ａ）が船縁に当ってロープ捕捉部（１ｂ）が外れないように対処できる。
【図面の簡単な説明】
【図１】係留具とボート及び養殖施設の位置関係を示す側面図である。
【図２】係留具とボート及び養殖施設の取付け状態を示す平面図である。
【図３】係留具本体を示す断面図であり、ボート張付け部の変形シャフトを捕捉した図である。
【図４】係留具のボート捕捉部を変形シャフトがロックした図である。
【図５】ボート張付け部のレバー取り付け図である。
【図６】図５のレバー位置Ａ−Ａ面でのボート張付け部の図である。
【図７】図６の変形シャフトのＢ−Ｂ断面である。
【図８】ボート捕捉部をセットする時のレバー位置である。
【図９】ボート捕捉部をロックした時のレバー位置である。
【符号の説明】
１　　　係留具本体
１ａ　　アーム
１ｂ　　ロープ捕捉部
１ｃ　　ボート捕捉部
２　　　ゴムボート
３　　　養殖施設
３ａ　　施設ロープ
３ｂ　　養殖籠
３ｃ　　施設ブイ
４　　　ボート張付け部
４ａ　　変形シャフト
４ｂ　　軸受け
４ｃ　　張付けゴム
４ｄ　　レバー
４ｅ　　ナット
５　　　釣り糸
【図１】
2004042875.tif 000003
【図２】
2004042875.tif 000004
【図３】
2004042875.tif 000005
【図４】
2004042875.tif 000006
【図５】
2004042875.tif 000007
【図６】
2004042875.tif 000008
【図７】
2004042875.tif 000009
【図８】
2004042875.tif 000010
【図９】
2004042875.tif 000011